(57)【要約】【課題】コンソールボックスのボックス本体を、左右の側壁部と及び上壁ぶからなる本体部と後壁部との２部品構成とする。【解決手段】左右の後端面５ａ，５ｂの中間部が、上下の両端部より後方に突出させられる。項端面５ａ，５ｂの下部には、下取付部７Ａ，７Ｂがそれぞれ一体に設けられる。下取付部７Ａ，７Ｂの基端部には、当該基端部をその上端から下端まで延びる薄肉部（図示せず）を形成する。これにより、下取付部７Ａ，７Ｂを、図４に示す取付位置と、この取付位置から矢印方向へそれぞれ９０°離れた取付位置との間を水平方向へ回動可能にする。下取付部７Ａ，７Ｂは、成形位置に位置したとき、収容空間１ａに臨む左右の側壁部２Ａ，２Ｂの内面の後方への延長面に接するか、当該内面より左右方向において外側に位置するように配置する。【選択図】図４
2014104927.tif 000002
【特許請求の範囲】
【請求項１】
左右の側壁部、上壁部及び後壁部を有し、下端部が開口した箱状をなすボックス本体を備えた車両用コンソールボックスにおいて、
上記ボックス本体が、上記左右の側壁部及び上記上壁部とによって構成され、下端部及び後端部が開口した本体部と、上記後壁部とを有し、上記本体部の後端部に上記後壁部が取り付けられることによって上記本体部の後端開口部が遮蔽され、
上記本体部の後端面の下部が上部より前方に位置させられ、
上記本体部の後端面の下部には、先端部が上記本体部の内部に向かって突出する取付部が設けられ、
上記取付部の先端部が、上記本体部の内部に向かって突出した取付位置から上記本体部から後方へ突出した成形位置まで回動することができるよう、上記取付部の基端部が上記本体部に回動可能に設けられ、
上記取付部は、上記成形位置に位置したときには、上記本体部の内部の左右の内面の延長上か、当該内面より左右方向において外側に位置するように配置されていることを特徴とする車両用コンソールボックス。
【請求項２】
上記本体部の左方を向く左側面及び後端面の左側部が、上記左側面に対して左右方向へ接近離間移動する第１成形型によって成形することができるよう、上記第１成形型の離間方向に開放された面によって構成され、上記本体部の右方を向く右側面及び後端面の右側部が、上記右側面に対して左右方向へ接近離間移動する第２成形型によって成形することができるよう、上記第２成形型の離間方向に開放された面によって構成され、上記本体部の上面が、当該上面に対して上下方向へ接近離間移動する第３成形型によって成形することができるよう、上記第３成形型の離間方向に開放された面によって構成され、上記本体部の内面が、上記本体部の下端開口部から上記本体部の内部に挿脱される第４成形型によって成形することができるよう、上記第４成形型の脱出方向に開放された面によって構成され、
上記取付部が、上記成形位置に位置させられた状態では、上記第１成形型及び上記第４成形型によって成形可能に形成されていることを特徴とする請求項１に記載の車両用コンソールボックス。
【発明の詳細な説明】
【技術分野】
【０００１】
この発明は、車両の運転席と助手席との間に設けられる車両用コンソールボックス、特にコンソールボックスのボックス本体に関する。
【背景技術】
【０００２】
一般に、コンソールボックスは、ボックス本体とリッドとを有している。ボックス本体は、左右一対の側壁部、上壁部及び後壁部を有しており、それらの壁部によって下端部全体が開口した箱状に形成されている。ボックス本体の下端開口部は、車体の床又は床に設けられた部材によって閉じられている。これによって、ボックス本体の内部に収容空間が形成されている。また、ボックス本体の上壁部には、ボックス本体の内部に物品を出し入れするための開口部が形成されている。一方、リッドは、ボックス本体の上端開口部を開閉するためのものであり、ボックス本体の上端部に開閉回動可能に、又は開閉移動可能に設けられている。（特許文献１参照）。
【０００３】
従来、コンソールボックスのボックス本体を製造する場合には、一対の側壁部、上壁部及び後壁部をそれぞれ成形する。つまり、ボックス本体を４部品構成とする。そして、４部品を組み立てて互いに固定することにより、ボックス本体が製造されていた。
【先行技術文献】
【特許文献】
【０００４】
【特許文献１】特開昭６０−２４２２７５号公報
【発明の概要】
【発明が解決しようとする課題】
【０００５】
ボックス本体を４部品構成とすると、各部品の成形及び部品どうしの組立に多くの手間が掛かる。この結果、ボックス本体の製造費が嵩むという問題があった。
【０００６】
そこで、この出願の発明者は、一対の側壁部と上壁部とを一体に成形して本体部とし、ボックス本体を本体部と後壁部とからなる２部品構成とすることを考えた。２部品構成とすれば、成形及び組立の手間を大幅に削減して製造費を低減することができるからである。しかしながら、本体部の形状によっては成形することができないことがあり、単純には２部品構成とすることができないという問題があった。特に、本体部の後端部に後壁部を取り付けるための取付部を設ける場合には、その取付部が、成形後の型開き時に、金型に干渉するという問題があった。
【課題を解決するための手段】
【０００７】
この発明は、上記事情を考慮してなされたもので、左右の側壁部、上壁部及び後壁部を有し、下端部が開口した箱状をなすボックス本体を備えた車両用コンソールボックスにおいて、上記ボックス本体が、上記左右の側壁部及び上記上壁部とによって構成され、下端部及び後端部が開口した本体部と、上記後壁部とを有し、上記本体部の後端部に上記後壁部が取り付けられることによって上記本体部の後端開口部が遮蔽され、上記本体部の後端面の下部が上部より前方に位置させられ、上記本体部の後端面の下部には、先端部が上記本体部の内部に向かって突出する取付部が設けられ、上記取付部の先端部が、上記本体部の内部に向かって突出した取付位置から上記本体部から後方へ突出した成形位置まで回動することができるよう、上記取付部の基端部が上記本体部に回動可能に設けられ、上記取付部は、上記成形位置に位置したときには、上記本体部の内部の左右の内面の延長上か、当該内面より左右方向において外側に位置するように配置されていることを特徴としている。
この場合、上記本体部の左方を向く左側面及び後端面の左側部が、上記左側面に対して左右方向へ接近離間移動する第１成形型によって成形することができるよう、上記第１成形型の離間方向に開放された面によって構成され、上記本体部の右方を向く右側面及び後端面の右側部が、上記右側面に対して左右方向へ接近離間移動する第２成形型によって成形することができるよう、上記第２成形型の離間方向に開放された面によって構成され、上記本体部の上面が、当該上面に対して上下方向へ接近離間移動する第３成形型によって成形することができるよう、上記第３成形型の離間方向に開放された面によって構成され、上記本体部の内面が、上記本体部の下端開口部から上記本体部の内部に挿脱される第４成形型によって成形することができるよう、上記第４成形型の脱出方向に開放された面によって構成され、上記取付部が、上記成形位置に位置させられた状態では、上記第１成形型及び上記第４成形型によって成形可能に形成されていることが望ましい。
【発明の効果】
【０００８】
上記特徴構成を有するこの発明によれば、取付部を取付位置に位置させることにより、取付部に後壁部を取り付けることができる。その一方、取付部を成形位置に位置させた状態で本体部を成形することにより、金型が取付部に干渉することなく成形することができる。したがって、ボックス本体を本体部と後壁部との２部品構成とすることができ、成形及び組立に要する手間を軽減することができる。よって、車両用コンソールボックスの製造費を低減することができる。
【図面の簡単な説明】
【０００９】
【図１】図１は、この発明に係る車両用コンソールボックスの一実施の形態の全体を示す斜視図である。
【図２】図２は、同実施の形態の本体部と後壁部とを分離した状態で示す斜視図である。
【図３】図３は、同実施の形態の後壁部を前方から見た斜視図である。
【図４】図４は、同実施の形態の本体部を成形されたままの状態で示す斜視図である。
【図５】図５は、同実施の形態の本体部を成形するための金型を型開きした状態で示す斜視図である。
【図６】図６は、同金型の一対の左右型部と、当該一対の型部による本体部の成形部分とを示す斜視図である。
【図７】図７は、同金型の上型部と、当該上型部による本体部の成形部分とを示す斜視図である。
【図８】図８は、同金型の下型部と、当該下型部による本体部の成形部分とを示す斜視図である。
【図９】図９は、同金型の後型部と、当該後型部による本体部の成形部分とを示す斜視図である。
【発明を実施するための形態】
【００１０】
以下、この発明を実施するための最良の形態を、図面を参照して説明する。
図１は、この発明の一実施の形態を示す。この実施の形態の車両用コンソールボックスＡは、ボックス本体１とリッド１０とを有している。ボックス本体１及びリッド１０は、いずれも樹脂を金型で成形することによって形成されている。リッド１０は、樹脂以外の材質によって構成されていてもよい。
【００１１】
ボックス本体１は、左右一対の側壁部２Ａ，２Ｂ、補強板部２Ｃ、上壁部３及び後壁部４を有している。
【００１２】
左側壁部２Ａは、板状をなしており、その厚さ方向を左右方向に向けて配置されている。左側壁部２Ａの前側の略半分は、高さが低い低壁部２１とされ、後側の略半分は、高さが高い高壁部２２とされている。低壁部２１の後端から続く高壁部２２の前端は、上方へ向かうにしたがって後方へ向かうように傾斜させられている。左側壁部２Ａの後端部の下部には、左側壁部２Ａを左右方向に貫通する貫通孔２３が形成されている。貫通孔２３は、形成されていなくてもよい。左側壁部２Ａには、貫通孔２３の他にも各種の構造が採用されている。しかし、貫通孔２３を含む各種の構造は、左側壁部２Ａの表面（外面及び内面）が後述する条件を満たすように形成される限り、この発明では問題にならない。そこで、左側壁部２Ａの表面が満たすべき条件以外の構成については、その説明を省略する。これは、右側壁部２Ｂ、補強板部２Ｃ及び上壁部３についても同様である。
【００１３】
右側壁部２Ｂは、左側壁部２Ａと対称な形状及び寸法を有しており、左右対称に配置されている。したがって、右側壁部２Ｂも低壁部２１及び高壁部２２を有している。また、右側壁部２Ｂは、左側壁部２Ｂに対し前後方向及び上下方向には同一位置に、左右方向には左側壁部２Ａから右方に離間して配置されている。つまり、右側壁部２Ｂは、左側壁部２Ａと左右方向に対向して配置されている。
【００１４】
上壁部３は、前壁部３１と傾斜壁部３２とを有しており、側面視略「く」字状に形成されている。前壁部３１は、左右の低壁部２１，２１の上端部間にそれらと一体に設けられている。傾斜壁部３２は、左右の高壁部２２，２２の前端部間にそれらと一体に設けられている。前壁部３１には、これを上下に貫通する貫通孔３３が形成されている。この貫通孔３３は、形成されないこともある。
【００１５】
左右の側壁部２Ａ，２Ｂ及び上壁部３によってボックス本体１の本体部５が形成されている。本体部５は、箱状をなしており、その前部、下部及び補後部が開放されている。本体部５の前部及び下部の開放部は、コンソールボックスＡが車両（図示せず）の床部に取り付けられると、床部又は床部に設けられた部材によって閉じられる。本体部５の後部の開放部は、後述するように、後壁部４によって閉じられる。その結果、本体部５の内部（ボックス本体１の内部）に収容空間１ａが形成されている。
【００１６】
側壁部２Ａ，２Ｂの対向面の後端部の上端部間には、補強板部２Ｃが設けられている。補強板部２Ｃの左右の両端部は、それぞれ側壁部２Ａ，２Ｂと一体に設けられている。補強板部２Ｃは、側壁部２Ａ，２Ｂの後端部どうしを連結して補強するためのものであるが、側壁部２Ａ，２Ｂの後端部には、後述するように、後壁部４が取り付けられる。したがって、補強板部２Ｃは、必ずしも形成する必要がない。
【００１７】
本体部５の上端部には、補強板部２Ｃと、この補強板部２Ｃと上下方向において同一位置に位置する側壁部２Ａ，２Ｂの上端部及び傾斜壁部３２の上端部とによって四角形の開口部１ｂが形成されている。この開口部１ｂにより収容空間１ａが上方に向かって開放されている。したがって、各種の物品を収容空間１ａに開口部１ｂを介して出し入れすることができる。
【００１８】
なお、本体部１Ａの前部開放部は、左右の側壁部２Ａ，２Ｂの前端部間に前壁部を一体に設け、それによって閉じてもよい。また、上壁部３の後端部を側壁部２Ａ，２Ｂの後端まで延長し、その延長された後端部に、開口部１ａに代わる開口部を形成してもよい。
【００１９】
左右の側壁部２Ａ，２Ｂの後端面によって本体部５の後端面が構成されている。つまり、本体部５の後端面は、左側壁部２Ａの後端面たる左後端面（後端面の左側部）５ａと、右側壁部２Ｂの後端面たる右後端面（後端面の右側部）５ｂとを有している。左後端面５ａ及び右後端面５ｂの上下方向の中間部５ｃは、上下方向の両端部より後方に突出させられている。換言すれば、左右の後端面５ａ，５ｂのうちの上部及び下部が中間部５ｃより前方に位置させられている。中間部５ｃより上側の部分は、前後方向において中間部５ｃと同一位置又は後方に位置させてもよい。そのような場合には、左右の後端面５ａ，５ｂの下部が中間部５ｃから上側の部分（上部）に対し前方に位置することになる。
【００２０】
左後端面５ａ及び右後端面５ｂには、上取付部６Ａ，６Ｂがそれぞれ側壁部２Ａ，２Ｂと一体に設けられている。上取付部６Ａ，６Ｂは、それぞれの大部分が中間部５ｃより上側に配置され、下端部が中間部５ｃより下側に配置されている。上取付部６Ａ，６Ｂは、その全体が中間部５ｃより上側に位置するように配置してもよい。上取付部６Ａ，６Ｂの左右方向において互いに隣接する側部、つまり上取付部６Ａの右側部及び上取付部６Ｂの左側部は、左右の側壁部２Ａ，２Ｂから本体部５の内部側（収容空間１ａの内部側）に向かって左右方向に突出させられている。なお、上取付部６Ａ，６Ｂの上端部の収容空間１ａ側に突出する側部は、補強板部５の左右の両端部にそれぞれ一体に設けられている。
【００２１】
上取付部６Ａ，６Ｂには、各取付部６Ａ，６Ｂを前後方向に貫通する係合孔６１がそれぞれ複数ずつ形成されるとともに、後方に向かって突出する係合突出部６２が形成されている。
【００２２】
左後端面５ａ及び右後端面５ｂには、下取付部（取付部）７Ａ，７Ｂがそれぞれ左側壁部２Ａ及び右側壁部２Ｂと一体に形成されている。下取付部７Ａ，７Ｂは、左右の後端面５ａ，５ｂの下部、つまり中間部５ｃより下側の部分に配置されている。下取付部７Ａ，７Ｂは、左右対称な形状を有している。しかも、左右対称に配置されている。すなわち、下取付部７Ａ，７Ｂは、上下方向及び前後方向には同一位置に位置し、左右方向には互いに離間対向するように配置されている。下取付部７Ａ，７Ｂの先端部は、左右方向に向かって互いに接近するように、左右の側壁部２Ａ，２Ｂからほぼ９０°の角度をもって左右方向へ、それも本体部５の内部側へ突出させられている。
【００２３】
ここで、左右の後端面５ａ，５ｂのうちの下取付部７Ａ，７Ｂが形成された下部は、中間部５ｃより前方に位置している。したがって、下取付部７Ａ，７Ｂのうちの左右の側壁部２Ａ，２Ｂから本体部５の内部側（収容空間１ａの内部側）に突出した部分は、中間部５ｃより前方に位置している。
【００２４】
下取付部７Ａ，７Ｂには、それらを前後方向に貫通する係合孔７１がそれぞれ形成されている。下取付部７Ａの右端部及び下取付部７Ｂの左端部には、後方に向かって突出する係合突出部７２がそれぞれ形成されている。
【００２５】
下取付部７Ａ，７Ｂの各基端部には、薄肉部（図示せず）がそれぞれ形成されている。薄肉部は、下取付部７Ａ，７Ｂの上下方向の全長にわたって形成されている。この結果、取付部７Ａ，７Ｂが、側壁部２Ａ，２Ｂに対し薄肉部を中心として水平方向へ回動可能になっている。下取付部７Ａ，７Ｂは、図２に示す組立位置と、図４に示す成形位置との間のほぼ９０°の範囲を回動可能である。下取付部７Ａ，７Ｂは、成形位置に位置したときには、左右の側壁部２Ａ，２Ｂの内面（収容空間１ａに臨む内面）の後端部を後方に延長した延長面に接するように配置されている。下取付部７Ａ，７Ｂは、成形位置に位置したときに、左右の側壁部２Ａ，２Ｂの内面の後端部より左右方向において外側に位置するように配置してもよい。
【００２６】
後壁部４は、本体部１Ａとは別体に形成されており、側壁部２Ａ，２Ｂの後端部に取り付けられている。すなわち、後壁部４の前面部の左右の両端部が、上取付部６Ａ，６Ｂの係合孔６１及び係合突出部６２に係合するとともに、組立位置に位置している下取付部７Ａ，７Ｂの係合孔７１及び係合突出部７２に係合することにより、本体部１Ａの後端部に後壁部４が固定されている。これによって、補強板部２Ｃが外部から目視されないように覆われるとともに、本体部５の後端開口部が閉じられている。しかも、本体部１Ａに後壁部４が取り付けられた状態では、補強板部２Ｃが後壁部４によって覆われるため、開口部１ｂが本体部１Ａと後壁部４とによって構成されているように見える。
【００２７】
リッド１０は、開口部１ｂを開閉するためのものであり、ボックス本体１の上端部に開閉回動可能に設けられている。リッド１０は、ボックス本体１に対し前後方向へ開閉移動可能に設けられることもある。リッド１０の開閉構造は、周知のものであるのでその説明を省略する。
【００２８】
次に、コンソールボックスＡが満たすべき構成上の条件について述べると、その条件は、本体部５及び補強板部２Ｃの表面（外面及び内面）についてのものであり、次のとおりである。
【００２９】
左側壁部２Ａの左方を向く面によって本体部５（ボックス本体１）の左側面（図６においてハッチングを施した面）５ｄが形成されている。左側面５ｄの各部は、水平方向左方に向かって開放された面によって構成されている。「水平方向左方に向かって開放された面」とは、左側面５ｄを左側から右側へ向かって水平方向に見たときに目視することができる（左方に向かって露出した）面であり、左右方向に向かって水平に延びる面、水平方向左方を向く面（左右の水平方向に対して直交する面）、及び水平方向左方を向く面とのなす角が鈍角である傾斜面を総称するものであり、左側面５ｄの各部は、それらの面のいずれかによって構成されている。左側面５ｄに形成された貫通孔２３の内周面も、水平方向左方に向かって開放された面によって構成されている。
【００３０】
ここで、左右方向に向かって水平に延びる面は、左側面５ａを水平方向左方から見たとき、直線となって見える。また、水平方向左方を向く面とのなす角度が鈍角である傾斜面は、平面である必要がなく、曲面であってもよい。なお、水平方向左方を向く面とのなす角が鋭角である面は、当該面を有する実質部によって覆われ、水平方向左方から見たときに目視することができない。したがって、水平方向左方を向く面とのなす角が鋭角である面は、「水平方向左方に向かって開放された面」ではない。
【００３１】
左側面５ｄは、左方に向かって開放された面であれば、必ずしも水平方向左方に向かって開放された面でなくてもよい。つまり、左側面は、水平方向左方に対して例えば１０°程度以下の範囲内で水平方向左方に対して上下方向又は前後方向に傾斜した方向に開放された面で構成されていてもよい。その場合、左側面５ｄを構成する面は、傾斜方向に延びる面、傾斜方向に対して垂直な面、この垂直面に対し鈍角をもって傾斜した面で構成される。また、左右方向に向かって水平に延びる面又は傾斜方向に延びる面は、後述するように左側面５ａを金型で成形する場合において、成形後に金型を左側面５ａから離間させることができる範囲内であれば、水平方向左方向又は傾斜した方向に対して若干の角度（例えば２〜３°程度）だけ傾斜していてもよい。
【００３２】
右側壁部２Ｂの右側面、つまり本体部５（ボックス本体１）の右側面（図示せず）は、水平方向右方に開放された面又は水平方向右方に対して傾斜した方向に開放された面で構成されている。「水平方向右方に開放された面又は水平方向右方に対して傾斜した方向に開放された面」とは、左右が異なる点を除き、左側面５ｄを構成する「水平方向左方に開放された面又は水平方向左方に対して傾斜した方向に開放された面」と同様に定義される面である。
【００３３】
本体部５の上面（図７においてハッチングが施された部分）５ｅは、上壁部３の上面、左右の側壁部２Ａ，２Ｂの上面、補強板部２Ｃの上面及び上取付部６Ａ，６Ｂの上面を有している。上面５ｅは、開口部１ｂの内周面を含む。開口部１ｂの内周面とは、補強板部２Ｃの内面、補強板部２Ｃの下端縁と同一の位置から上側に位置する側壁部２Ａ，２Ｂ及び上壁部３の各内面の上端部によって構成される面である。上面５ｅは、上壁部３に形成された貫通孔３３の内周面も含む。ただし、開口部１ｂの内面と貫通孔３３の内周面との少なくとも一方は、後述する内面５ｆに含ませてもよい。
【００３４】
上面５ｅは、鉛直方向上方に開放された面又は鉛直方向に対して傾斜した方向に開放された面で構成されている。「鉛直方向上方に開放された面又は鉛直方向に対して傾斜した方向に開放された面」とは、左方と上方とが異なる点を除き、左側面５ｄを構成する「水平方向左方に開放された面又は水平方向左方に対して傾斜した方向に開放された面」と同様に定義される面である。
【００３５】
左側壁部２Ａ、右側壁部２Ｂ及び上壁部３の収容空間１ａに臨む面（開口部１ｂの内周面及び貫通孔３３の内周面を除く）により、本体部５の内面（図８において右上がりのハッチングが施された面）５ｆが構成されている。本体部５の内面５ｆは、鉛直下方に開放された面又は鉛直下方に対して傾斜する方向に開放された面によって構成されている。「鉛直下方に開放された面又は鉛直下方に対して傾斜する方向に開放された面」とは、左方と下方とが異なる点を除き、左側面５ｄを構成する「水平方向左方に開放された面又は水平方向左方に対して傾斜した方向に開放された面」と同様に定義される面である。
【００３６】
補強板部２Ｃの外面のうちの下方を向く面及び後方を向く面（図８において右下がりのハッチングが施された面）は、内面５ｆと同一方向に開放された面によって構成されている。
【００３７】
本体部５の左後端面５ａは、左側面５ｄと同一方向に開放された面によって構成されている。本体部５の右後端面５ｂは、右側面と同一方向に開放された面によって構成されている。
【００３８】
上取付部６Ａの外面のうちの左側面は、左側面５ｃと同一方向に開放された面によって構成されている。上取付部６Ａの外面のうちの右側面、収容空間１ａに臨む前面及び下面は、内面５ｆと同一方向に開放された面によって構成されている。上取付部６Ａの外面のうちの後方を向く面、係合孔６１の内周面及び係合突出部６２の外面は、水平方向後方に開放された面又は水平方向後方に対して傾斜した方向に開放された面によって構成されている。「水平方向後方に開放された面又は水平方向後方に対して傾斜した方向に開放された面」とは、左方と後方とが異なる点を除き、左側面５ｃを構成する「水平方向左方に開放された面又は水平方向左方に対して傾斜した方向に開放された面」と同様に定義される面である。
【００３９】
上取付部６Ｂは、上取付部６Ａと左右対称に配置形成されている。したがって、上取付部６Ｂの外面のうちの右側面は、本体部５の右側面と同一方向に開放された面によって構成され、上取付部６Ｂの外面のうちの左側面、収容空間１ａに臨む前面及び下面は、内面５ｆと同一方向に開放された面によって構成され、上取付部６Ｂの外面のうちの後方を向く面、係合孔６１の内周面及び係合突出部６２の外面は、上取付部６Ａの後方を向く面と同一方向に開放された面によって構成されている。
【００４０】
下取付部７Ａの外面は、下取付部７Ａが成形位置に位置しているときを基準にすると、次のような面によって構成されている。すなわち、下取付部７Ａの外面のうちの下取付部７Ｂと対向する面は、内面５ｆと同一方向に開放された面によって構成されている。下取付部７Ａの外面のうちの係合突出部７２の後方を向く面は、上取付部６Ａ，６Ｂの後方を向く面と同一方向に開放された面によって構成されている。下取付部７Ａの外面のうちの残りの部分は、左側面５ｄと同一方向に開放された面によって構成されている。
【００４１】
下取付部７Ｂは、下取付部７Ａと左右対称である。したがって、下取付部７Ｂの外面のうちの下取付部７Ａと対向する面は、内面５ｆと同一方向に開放された面によって構成され、係合突出部７２の後方を向く面は、上取付部６Ａ，６Ｂの後方を向く面と同一方向に開放された面によって構成され、下取付部７Ａの外面のうちの残りの部分は、本体部５の右側面と同一方向に開放された面によって構成されている。
【００４２】
上記構成のコンソールボックスＡの本体部５は、図５に示す金型Ｂによって成形することができる。金型Ｂは、左型部（第１成形型）Ｂ１、右型部（第２整形型）Ｂ２、上型部（第３成形型）Ｂ３、下型部（第４成形型）Ｂ４及び後型部Ｂ５を有している。金型Ｂは、図５においては型開き状態で示されているが、互いに接近させて型締めすると、全ての型部Ｂ１〜Ｂ５により本体部５（補強板部２Ｃ、上取付部６Ａ，６Ｂ及び下取付部７Ａ，７Ｂを含む。）を成形するためのキャビティ（図示せず）が構成される。したがって、型締めした状態でキャビティに溶融樹脂を充填することにより、本体部５を成形することができる。成形後、各金型Ｂ１〜Ｂ５を互いに離間移動させて型開きすることにより、成形された本体部５が得られる。
【００４３】
左型部Ｂ１は、図６に示すように、本体部５の外面のうちの、水平方向左方に開放された面又は水平方向左方に対して傾斜した方向に開放された面によって構成された面（図６においてハッチングが施された面）、すなわち左側面（貫通孔２３の内周面を含む）５ｄ、上取付部６Ａの左側面、及び下取付部７Ａの下取付部７Ｂと対向する面及び係合突出部７２の後方を向く面以外の面を成形するためのものである。したがって、左型部Ｂ１の右側を向く面には、左側面５ｄ、上取付部６Ａの左側面、及び下取付部７Ａの下取付部７Ｂと対向する面及び係合突出部７２の後方を向く面以外の面に対応した形状を有する成形面が形成されている。
【００４４】
左型部Ｂ１が成形する面が水平方向左方に開放された面又は水平方向左方に対して傾斜した方向に開放された面によって構成されているので、本体部５の成形後、左型部Ｂ１を水平方向左方又は水平方向左方に対して傾斜した方向へ離間移動させることにより、左型部Ｂ１は、本体部５のいずれの部分にも干渉することなく型開きすることができる。換言すれば、左型Ｂ１が本体部５に干渉することなく型開きすることができるよう、左型Ｂ１の型開き方向（離間移動方向）が、左側面５ｃ、上取付部６Ａの左側面及び下取付部７Ａの下取付部７Ｂと対向する面以外の面の開放方向と同一方向に設定されているのである。したがって、「水平方向左方に開放された面又は水平方向左方に対して傾斜した方向に開放された面」とは、「左型部Ｂ１の型開方向（離間移動方向）に開放された面」と言い換えることができる。このような左型部Ｂ１の型開き方向とそれによって成形される面の開放方向との関係は、他の型部Ｂ２〜Ｂ５の型開き方向とそれらの型部によって成形される面の開放方向との関係についても同様である。
【００４５】
右型部Ｂ２は、本体部５の外面のうちの、水平方向右方に開放された面又は水平方向左右方に対して傾斜した方向に開放された面によって構成された面、すなわち右側面、上取付部６ｂの右側面及び下取付部７Ｂの下取付部７Ａと対向する面以外の面を成形するためのものである。したがって、右型部Ｂ２は、本体部５の成形後、水平方向右方又は水平方向右方に対して傾斜した方向へ移動させることにより、本体部５に干渉することなく型開きすることができる。
【００４６】
上型部Ｂ３は、図７に示すように、鉛直方向上方に開放された面又は鉛直方向上方に対して傾斜した方向に開放された面によって構成された面（図７においてハッチングが施された面）、すなわち上面（貫通孔３３の内周面を含む。）５ｅ及び開口部１ｂの内周面を成形するためのものである。したがって、上型部Ｂ３は、本体部５の成形後、鉛直方向上方又は鉛直方向上方に対して傾斜した方向へ移動させることにより、本体部５に干渉することなく型開きすることができる。
【００４７】
下型部Ｂ４は、図８に示すように、鉛直下方に開放された面又は鉛直下方に対して傾斜した方向に開放された面（図８においてハッチングが施された面）、すなわち収容空間１ａの内面（開口部１ｂの内周面を除く；右上がりのハッチングが施された面）、補強板部２Ｃの後方を向く面（図８において右下がりのハッチングが施された面）及び下面、上取付部６Ａの右側面、収容空間１ａに臨む前面及び下面、上取付部６Ｂの左側面、収容空間１ａに臨む前面及び下面、並びに下取付部７Ａ，７Ｂの対向面を成形するためのものである。したがって、下型部Ｂ４は、本体部５の成形後、鉛直方向下方又は鉛直方向下方に対して傾斜した方向へ移動させることにより、本体部５に干渉することなく型開きすることができる。
【００４８】
後型部Ｂ５は、図９に示すように、水平方向後方に開放された面又は水平方向後方に対して傾斜した方向に開放された面（図９においてハッチングが施された面）、すなわち上取付部６Ａ，６Ｂの後方を向く面及び下取付部７Ａ，７Ｂの係合突出部７２，７２の後方を向く面を成形するためのものである。したがって、後型部Ｂ５は、本体部５の成形後、水平方向後方又は水平方向後方に対して傾斜した方向へ移動させることにより、本体部５に干渉することなく型開きすることができる。
【００４９】
ここで、本体部５の成形時に、下取付部７Ａ，７Ｂが組立位置に位置しているものとすると、図２に示すように、下取付部７Ａ，７Ｂの左右方向に隣接する側部が左右の側壁部２Ａ，２Ｂの内面（内面５ｆの左右両側部）の上後端部より前方に位置する。このため、下型部Ｂ４を型開きするときに、下型部Ｂ４が下取付部７Ａ，７Ｂに干渉してしまう。したがって、本体部５を成形することができない。
【００５０】
しかるに、下取付部７Ａ，７Ｂは、組立位置と成形位置との間を回動可能である。下取付部７Ａ，７Ｂを成形位置に位置させると、下本体部７Ａ，７Ｂは、左右の側壁部２Ａ，２Ｂの内面の後端部を延長させた面に接するか、側壁部２Ａ，２Ｂの内面より外側に位置する。したがって、下型部Ｂ４が下取付部７Ａ，７Ｂに干渉することがなく、金型Ｂによって本体部５を成形することができる。したがって、ボックス本体１を本体部５と後壁部４との２部品構成とすることができ、４部品構成とした場合に比して、成形及び組立に要する費用を低減し、コンソールボックスＡの製造費を低減することができる。
【００５１】
後壁部４は、金型Ｂとは異なる他の金型（図示せず）を用いて成形することができる。そして、後壁部４を本体部５に組み付けることにより、ボックス本体１が得られる。勿論、ボックス本体１には、リッド１０が組み付けられ、それによってコンソールボックスＡが製造される。
【００５２】
なお、この発明は、上記の実施の形態に限定されるものでなく、その要旨を逸脱しない範囲において各種の変形例を採用することができる。
例えば、上記の実施の形態においては、二つの下取付部７Ａ，７Ｂが形成されているが、下取付部７Ａだけを形成してもよい。
【符号の説明】
【００５３】
Ａ    車両用コンソールボックス
Ｂ    金型
Ｂ１    左型部（第１成形型）
Ｂ２    右型部（第２成形型）
Ｂ３    上型部（第３成形型）
Ｂ４    下型部（第４成形型）
１    ボックス本体
２Ａ    左側壁部
２Ｂ    右側壁部
３    上壁部
４    後壁部
５    本体部
５ａ    左後端面（後端面の左側部）
５ｂ    右後端面（後端面の右側部）
５ｄ    左側面
５ｅ    上面
５ｆ    内面
７Ａ    下取付部（取付部）
７Ｂ    下取付部（取付部）
【図１】
2014104927.tif 000003
【図２】
2014104927.tif 000004
【図３】
2014104927.tif 000005
【図４】
2014104927.tif 000006
【図５】
2014104927.tif 000007
【図６】
2014104927.tif 000008
【図７】
2014104927.tif 000009
【図８】
2014104927.tif 000010
【図９】
2014104927.tif 000011